(57)【特許請求の範囲】
【請求項１】
前縁が後傾する側面視三角形状の左右１対の側板における前後部に、前後に対応する複数個ずつの取付孔を、前部のものは側板の前縁に沿って、また後部のものは側板の後縁に沿ってそれぞれ並べて穿設し、前後に対応する任意の取付孔に挿通した前後の支軸のいずれか一方を、座板の側面に設けた軸孔に嵌合し、他方の支軸を、座板の側面に設けた前後方向を向く長孔に摺動自在に嵌合することにより、左右の側板間に、座板を高さ変更可能として取り付けるとともに、両側板に、複数の取付孔を、前記側板の前縁とほぼ平行な傾斜線に沿って並ぶようにして穿設し、任意の取付孔に挿通した支軸をもって、背当て板の両側端を支持することにより、背当て板を、前記傾斜線に沿って、高さと前後位置とを変更可能として取り付けたことを特徴とする椅子。
【請求項２】
両側板の内側面における各取付孔から同方向の等距離の位置に凹部をそれぞれ設け、いずれかの凹部に、背当て板の両側端面に突設した突起が嵌合しうるようにした請求項１記載の椅子。
【請求項３】
支軸をボルトとし、背当て板または座板に、前記ボルトが螺合するナットを設けた請求項１または２記載の椅子。
【発明の詳細な説明】
【０００１】
【発明の属する技術分野】
本発明は、座板と背当て板との高さと奥行が変えられるようにした椅子に関する。
【０００２】
【従来の技術】
従来の学習机用の椅子には、天板の高さが調節できない机用のものとして、座板と足置板との高さを調節できるようにしたものと、天板の高さ調節可能な机用のものとして、座板と背当て板との高さを調節できるようにしたものがある。
【０００３】
【発明が解決しようとする課題】
着座者が子供と大人とのように極端に違う場合には、座板や背当て板等の高さだけでなく、座板の前端から背当て板までの奥行も変更可能とすることが好ましい。
【０００４】
しかし、座板や背当て板等を、高さだけでなく、前後方向の位置も調節できるようにするには、それらの調節機構が複雑化し、製造コストの増大をもたらす。
【０００５】
本発明は、従来の技術が有する上記のような問題点に鑑み、着座者の成長に合わせて、座板や背当て板の高さを変更できるだけでなく、着座部の奥行きも適切に変更でき、しかも構造が簡単で、機能的かつ漸新な外観を呈することができるようにした椅子を提供することを目的としている。
【０００６】
【課題を解決するための手段】
本発明によると、上記課題は次のようにして解決される。                    (１)前縁が後傾する側面視三角形状の左右１対の側板における前後部に、前後に対応する複数個ずつの取付孔を、前部のものは側板の前縁に沿って、また後部のものは側板の後縁に沿ってそれぞれ並べて穿設し、前後に対応する任意の取付孔に挿通した前後の支軸のいずれか一方を、座板の側面に設けた軸孔に嵌合し、他方の支軸を、座板の側面に設けた前後方向を向く長孔に摺動自在に嵌合することにより、左右の側板間に、座板を高さ変更可能として取り付けるとともに、両側板に、複数の取付孔を、前記側板の前縁とほぼ平行な傾斜線に沿って並ぶようにして穿設し、任意の取付孔に挿通した支軸をもって、背当て板の両側端を支持することにより、背当て板を、前記傾斜線に沿って、高さと前後位置とを変更可能として取り付ける。
【０００７】
(２) 上記(１)項において、両側板の内側面における各取付孔から同方向の等距離の位置に凹部をそれぞれ設け、いずれかの凹部に、背当て板の両側端面に突設した突起が嵌合しうるようにする。
【０００８】
(３) 上記(１)または(２)項において、支軸をボルトとし、背当て板または座板に、前記ボルトが螺合するナットを設ける。
【００１０】
【発明の実施の形態】
以下、本発明の一実施形態を、添付図面を参照して説明する。
【００１１】
図１に示すように、本発明の椅子は、前縁が後傾する側面視ほぼ直角三角形状の左右１対の側板(１)(１)を備えている。
【００１２】
各側板(１)は、前後方向を向く脚杆(２)の前後部に、後傾する傾斜杆(３)と、ほぼ真上を向き、上端部が傾斜杆(３)の上端部後下縁に結合された後部支杆(４)とを立設したものよりなっている。なお、側板(１)を、後下部が直角をなす１枚の板材により形成することもできる。
【００１３】
左右の側板(１)(１)同士は、傾斜杆(３)の前下端部同士、同じく後上端部同士、及び後部支杆(４)の下端部同士の間に、左右方向を向く水平の連結杆(５)を挟んで、両側板(１)(１)の外側方から止めねじ(６)をもってねじ止めすることにより、互いに連結されている。
【００１４】
各脚杆(２)の後端部下面に形成した凹部(７)内にはキャスタ(８)が、また各脚杆(２)の前端部下面には、下方に向かって突出する接床部材(９)(図４及び図６参照)がそれぞれ設けられている。
【００１５】
左右の両側板(１)(１)における傾斜杆(３)の下半部と後部支杆(４)の下半部とには、前後に対応する複数個ずつの取付孔(10)(11)が、前部のものは傾斜杆(３)の前縁に沿って、また後部のものは後部支杆(４)の後縁に沿って、すなわち垂直に、それぞれほぼ等間隔で並ぶようにして穿設されている。
【００１６】
左右の幅を左右の側板(１)(１)間の間隔とほぼ等しくした座板(12)の下面側部には、側片(13)(13)が固着され、図２に示すように、両側片(13)(13)の後端部には、鍔付きナット(14)が外向きに貫設され、両側片(13)(13)のほぼ前半部には、前後方向を向く長孔(15)が穿設され、各長孔(15)には、鍔付きナット(16)が前後方向に摺動自在に嵌合されている。
【００１７】
座板(12)は、両側板(１)(１)の外側から前後に対応する任意の取付孔(10)(11)に挿通した支軸をなす皿ボルト(17)を、上記の各鍔付きナット(14)(16)にそれぞれ螺合することにより、段階的ではあるが、両側板(１)(１)間の任意の高さに強固に取り付けることができる。
【００１８】
各高さにおける前後の取付孔(10)(11)間の距離の相違は、前方の取付孔(10)を挿通する皿ボルト(17)が螺合する鍔付きナット(16)が、長孔(15)内を摺動することによって吸収される。
【００１９】
各傾斜杆(３)のほぼ上半部には、複数の取付孔(18)が、ほぼ傾斜杆(３)の前縁に沿って等間隔で並ぶようにして(この例においては、傾斜杆(３)の前縁より若干大きな上向き傾斜角の傾斜線(Ｌ)に沿ってほぼ等間隔で並ぶようにして)穿設されている。
【００２０】
また、各傾斜杆(３)のほぼ上半部の内面には、各取付孔(18)から前下方の同方向の等距離の位置に、いわゆるダボ孔をなす凹部(19)がそれぞれ設けられている。
【００２１】
背当て板(20)の両側端の上下部には、植込みナット(21)と、いわゆるダボピンをなす突起(22)とが設けられており、背当て板(20)は、左右の突起(22)を、等高をなす任意の凹部(19)に嵌合した状態で、その凹部(19)に対応するほぼ直上の取付孔(18)に、支軸をなす皿ボルト(23)を両側板(１)(１)の外側から挿通し、その皿ボルト(23)を植込みナット(21)に螺合して締め付けることにより、段階的ではあるが、両側板(１)(１)間の任意の高さに強固に取り付けることができる。
【００２２】
しかも、背当て板(20)は、上位に取り付けるほど後方に位置し、座板(12)の前端からの背当て板(20)までの奥行を大とすることができるので好都合である。
【００２３】
すなわち、図３及び図４に示すように、座板(12)と背当て板(20)とを、それらの上限の位置に取り付けたときは、奥行が最大となり、図５及び図６に示すように、座板(12)と背当て板(20)とを、それらの下限の位置に取り付けたときは、奥行が最小となる。
【００２４】
前者は大人用、後者は小学校低学年用として最適である。
【００２５】
この実施形態では、椅子全体を木製としてあるが、本発明はスチール製の椅子にも適用することができる。
また、皿ボルト(17)(23)を有頭ピン等の支軸とし、かつそれらを受ける鍔付きナット(14)(16)や植込みナット(21)を、単なる軸孔としてもよい。
【００２６】
さらに、鍔付きナット(14)を座板(12)の側片(13)の前部に設け、かつ長孔(15)をその後部に設けて、座板(12)の後部で、前後の皿ボルト(17)(17)の軸間距離の変動を吸収するようにしてもよい。
【００２７】
【発明の効果】
請求項１記載の発明によると、着座者の成長に合わせて、座板や背当て板の高さを変更できるだけでなく、着座部の奥行きも適切に変更でき、特に、背当て板の取り付け位置を低くするほど、座面の有効な奥行が小さくなるので、子供用として使用する場合に、奥行が大きいまま使用しなくてよく、子供にも快適な使用感を与えることができる。
【００２８】
また、側板が三角形をなし、構造が簡単で強固であるとともに、機能的で漸新な外観を呈することができる。
【００２９】
また、座板を常に安定して支持することができるとともに、両側板を機能的な構造のものとすることができる。
【００３０】
また、座板を支持する一方の支軸が、長孔に沿って摺動することにより、側板の上下部における前後の取付孔間の距離の相違を吸収し、座板を常に安定して支持することができる。
【００３１】
さらに、背当て板の取付位置を機能的に変化させることができるとともに、背当て板の支持を安定させ、強固な支持構造を呈することができる。
【００３２】
請求項２記載の発明によると、背当て板が支軸まわりに回転するのを阻止し、背当て板を安定して、強固に支持することができる。
【００３３】
請求項３記載の発明によると、ボルトとナットとの全体を強固に締め付けることができ、全体の強度を増すことができる。
【図面の簡単な説明】
【図１】  本発明の一実施形態の分解斜視図である。
【図２】  同じく、要部の分解斜視図である。
【図３】  同じく、座板及び背当て板を高位置に取り付けた斜視図である。
【図４】  同じく、側面図である。
【図５】  同じく、座板及び背当て板を低位置に取り付けた斜視図である。
【図６】  同じく、側面図である。
【符号の説明】
(１)側板
(２)脚杆
(３)傾斜杆
(４)後部支杆
(５)連結杆
(６)止めねじ
(７)凹部
(８)キャスタ
(９)接床部材
(10)(11)取付孔
(12)座板
(13)側片
(14)鍔付きナット(軸孔)
(15)長孔
(16)鍔付きナット
(17)皿ボルト(支軸)
(18)取付孔
(19)凹部
(20)背当て板
(21)植込みナット(軸孔)
(22)突起
(23)皿ボルト(支軸)
(Ｌ)傾斜線
【図１】
0004855583.tif 000002
【図２】
0004855583.tif 000003
【図３】
0004855583.tif 000004
【図４】
0004855583.tif 000005
【図５】
0004855583.tif 000006
【図６】
0004855583.tif 000007